(57)【要約】【課題】簡単にかつ短時間で工事現場の養生用のシートや、テントの屋根用シートなどをぴんと綺麗に張ったり、取り外したりしたりできた上で、強風の際にはシートが膨らんだり、シートの連結部分の間隙が生じたりすることにより、足場が倒壊してしまったり、シートの鳩目の部分が破れてしまったりすることのない、安価で構造簡単なシート用の連結具を提供する。【解決手段】伸縮性を有する弾性材質のバンド部材と、このバンド部材の両端部に取り付けた一対の留め具とから成り、前記バンド部材は単数または複数のゴム紐から成る芯材と、この芯材の周囲を繊維布で被覆したものとし、前記留め具は前記バンド部材に取り付ける取付部とこの取付部に続いて設けられたところの連結すべきシートを係止する係止部とを有するものとすることで解決した。【選択図】図１
2014139390.tif 000002
【特許請求の範囲】
【請求項１】
伸縮性を有する弾性材質のバンド部材と、このバンド部材の両端部に取り付けた一対の留め具とから成り、前記バンド部材は単数または複数のゴム紐から成る芯材と、この芯材の周囲を繊維布で被覆したものとし、前記留め具は前記バンド部材に取り付ける取付部とこの取付部に続いて設けられたところの連結すべきシートを係止する係止部とを有するものとしたことを特徴とする、シートの連結具。
【請求項２】
前記バンド部材は、単数または複数のゴム紐のみから成ることを特徴とする、請求項１に記載のシートの連結具。
【請求項３】
前記バンド部材は、単数のゴム紐と、このゴム紐の周囲を繊維布で被覆したものとしたことを特徴とする、請求項１に記載のシートの連結具。
【請求項４】
前記バンド部材は、複数のゴム紐の周囲をそれぞれ繊維布で被覆したものとしたことを特徴とする、請求項１に記載のシートの連結具。
【請求項５】
前記バンド部材は、ゴム紐と繊維とを編み込んだものとしたことを特徴とする、請求項１に記載のシートの連結具。
【請求項６】
前記バンド部材は、これをコイルスプリングとしたことを特徴とする、請求項１に記載のシートの連結具。
【請求項７】
前記バンド部材をコイルスプリングとしたときには、留め具を前記コイルスプリングの両端部に一体に設けることを特徴とする、請求項６に記載のシートの連結具。
【請求項８】
前記ゴム紐は、丸ゴム或は平ゴムとしたことを特徴とする、請求項１に記載のシートの連結具。
【請求項９】
前記留め具は、その一方或は双方を前記取付部と前記係止部を有するマルカンとしたことを特徴とする、請求項１に記載のシートの連結具。
【請求項１０】
前記留め具は、その一方或は双方を前記取付部と前記係止部を有するエスカンとし、前記取付部の部分を小径に形成させたことを特徴とする、請求項１に記載のシートの連結具。
【請求項１１】
前記留め具は、その一方或は双方を前記取付部と前記係止部を有するカニカンとしたことを特徴とする、請求項１に記載のシートの連結具。
【請求項１２】
前記留め具は、その一方或は双方の係止部を螺旋形状としたことを特徴とする、請求項１に記載のシートの連結具。
【請求項１３】
前記留め具は、その取付部を直条形状にしてその先端にフランジ部を設けたものとし、前記取付部を複数のゴム紐から成る芯材の中に挿入させてその挿入部分の周囲を芯材と共に固定部材で締めつけるものとしたことを特徴とする、請求項１乃至１２のいずれか１項に記載のシートの連結具。
【発明の詳細な説明】
【技術分野】
【０００１】
本発明は、建築現場における養生用ネットや養生用シート等のシートやとくにイベント用のテントなどの屋根カバー用のシート（天幕シート）を単管パイプやパイプ（支柱）に対して連結させ、或はシート同士を連結させる際に用いて好適なシートの連結具に関する。
【背景技術】
【０００２】
従来、建築現場において、各種の建築物を構築したり、修理をしたりする場合などにおいては、当該建築部の周囲を覆って養生用ネットや養生用のシートを配設し、工具や資材等の落下防止や飛散物による公害の発生の防止などが図られている。このようなシートを建築物の周囲へ配設するには、建築物の周囲に単管パイプ等からなる支柱を縦横に取り付け、この支柱に広げた矩形状のシートの縁部を当該縁部に設けた鳩目の部分を連結用紐或は連結具を用いて連結固定させている。
【０００３】
また、とくにイベント用のテントなどにおいては、誰でもがよく知っているために、とくに特許文献を添付しないが、屋根カバー用のシートを骨組みを構成するパイプ（支柱）へ紐を用いて縛り付けることによって連結している。これもなかなか手間と人手を要する作業となっている。
【０００４】
建築現場においては、現在でも紐を用いてパイプへシートを縛り付けることが主流であるが、この紐を用いた固定方法は、結びつけた紐が解けてしまったり、強風時に擦り切れてしまったりすることにより、養生シートのメンテナンスに多くの手間を要していた。また、結びつけた紐を取り外すのに手間がかかるため、養生シートを束ねる場合等、養生シートを移動する作業に時間がかかると共に、取り外した紐を紛失しやすかった。
【０００５】
そこで、下記特許文献１に記載された連結具が開発されている。この下記特許文献１に記載された連結具は、１本の針金で構成されており、針金を輪状に折り曲げて作った単管パイプに取り付けられるリング部と、このリング部の両端部から延設させて作った係止部とから成る簡単な構成のものであるが、繰り返し使用するには適していないうえに、リング部が伸縮性を有しないために、シートをぴんと綺麗に張ることができないうえに、単管パイプの径が異なるものには不向きであり、さらにシートを張った後、強風で煽られた際には、シート自体が膨らんで風を逃がしたり、シートの連結部分の間隙が広がって風を逃がさないために、強風をまともに受けてシートの鳩目の部分が切れてしまったり、足場などが倒壊してしまう危険性があった。
【先行技術文献】
【特許文献】
【０００６】
【特許文献１】特開２００２-１０６１７５号公報
【発明の概要】
【発明が解決しようとする課題】
【０００７】
本発明は、このような従来の課題に着目してなされたもので、その目的は簡単にかつ短時間で工事現場の養生用のシートや、テントの屋根用シートなどをぴんと綺麗に張ったり、取り外したりしたりできた上で、強風の際にはシートが膨らんだり、シートの連結部分の間隙が生じたりすることにより、足場が倒壊してしまったり、シートの鳩目の部分が破れてしまったりすることのない、さらに鳩目の破損も少なくした、安価で構造簡単なシート用の連結具を提供することを目的とする。
【０００８】
尚、以下の説明では、建築現場の足場の骨組みやとくにイベント用のテントの骨組みに養生用のシートや屋根用のシートを張る場合について説明するが、本願発明に係るシートの連結具の用途としては、このものに限定されない。とくに建築現場では、建築中や修理中の建築及び構築物の外側に、工具や資材等の落下防止や飛散物による公害の発生の防止するために張られるシートを骨組みを構成する単管パイプへ連結したり、或は単管パイプのない箇所ではシート同士を連結する際にも用いられるものである。したがって、足場等といった場合には、このものの場合も含まれるものである。
【課題を解決するための手段】
【０００９】
本発明の目的を達成するために請求項１発明は、伸縮性を有する弾性材質のバンド部材と、このバンド部材の両端部に取り付けた一対の留め具とから成り、前記バンド部材は単数または複数のゴム紐から成る芯材と、この芯材の周囲を繊維布で被覆したものとし、前記留め具は前記バンド部材に取り付ける取付部とこの取付部に続いて設けられたところの連結すべきシートを係止する係止部とを有するものとしたことを特徴とする。
【００１０】
次に、請求項２発明によれば、請求項１発明のバンド部材を、単数または複数のゴム紐のみで構成することができるものである。
【００１１】
次に、請求項３発明によれば、請求項１発明のバンド部材を、単数のゴム紐と、このゴム紐の周囲を繊維布で被覆したものとすることができる。
【００１２】
次に、請求項４発明によれば、請求項１発明のバンド部材を、複数のゴム紐の周囲をそれぞれ繊維布で被覆したものとすることができるものである。
【００１３】
次に、請求項５発明によれば、請求項１発明のバンド部材を、ゴム紐と繊維とを編み込んだものすることができるものである。
【００１４】
次に、請求項６発明によれば、請求項１発明のバンド部材を、コイルスプリングとすることができるものである。
【００１５】
次に、請求項７発明によれば、バンド部材をコイルスプリングとしたときには、留め具を前記コイルスプリングの両端部に一体に設けることを特徴とする。
【００１６】
次に、請求項８発明によれば、請求項１発明の前記ゴム紐は、丸ゴム或は平ゴムとしたことを特徴とする。
【００１７】
次に、請求項９発明によれば、請求項１発明の留め具の、その一方或は双方を前記取付部と前記係止部を有するマルカンとしたことを特徴とするものである。
【００１８】
次に、請求項１０発明によれば、請求項１発明の留め具の、その一方或は双方を前記取付部と前記係止部を有するエスカンとし、前記取付部の部分を小径に形成させたことを特徴とするものである。
【００１９】
次に、請求項１１発明によれば、請求項１発明の留め具の、その一方或は双方を前記取付部と前記係止部を有するカニカンとしたことを特徴とする。
【００２０】
次に、請求項１２発明によれば、請求項１発明の留め具の、その一方或は双方の係止部を螺旋形状としたことを特徴とする。
【００２１】
そして、請求項１３発明によれば、請求項１乃至１２に係る発明の留め具は、その取付部を直条形状にしてその先端にフランジ部を設けたものとし、前記取付部を複数のゴム紐から成る芯材の中に挿入させてその挿入部分の周囲を芯材と共に固定部材で締めつけるものとしたことを特徴とする。
【発明の効果】
【００２２】
本発明は以上のように構成したので、安価、かつ簡単な構成である上に、建築現場の足場などや主としてイベント用のテントの骨組みを構成する単管パイプやパイプ（支柱）のある箇所でシート同士を連結する場合には、連結具に伸縮性のある弾性材質のバンド部材を用いることにより、このバンド部材を単管パイプやパイプに回して当該バンド部材を伸ばしつつ留め具を互いにクロスさせてこの留め具で各シートの鳩目を係止すると、各シートを緩むことなくぴんと張ることができるものである。
【００２３】
また、バンド部材が、伸縮性を有する弾性材質のものであるので、強風の際に風で煽られてシートが膨らんだ際に、バンド部材が伸縮可能な弾性を有するので、連結部が開くことによって、連結した各シートの隙間が生じ、この隙間によって風通しをよくすることにより、鳩目の部分からちぎれてシートが飛んで行ってしまったり、或は足場などが倒壊してしまったり、さらにテント自体が飛ばされてしまうことを有効に防止することができるものである。
【００２４】
また、伸縮性のある弾性材質のバンド部材の両端部に留め具を設けた構成なので、単管パイプの片側にシートを張る場合や、シート同士を単管パイプなどのない箇所で連結させる場合（事実、建築現場では足場などに縦方向へシートを連結して張る場合には、単管パイプがない場合が多い。）には、本発明に係る連結具を用いることにより、シートを単管パイプの片側や、或はシート同士をしっかりと連結でき、一つの連結具で様々な箇所に用いることができるものである。これはテントの屋根用のシートなどを骨組みを構成するパイプへ連結する場合にも同様である。
【００２５】
さらに、留め具にマルカンやカニカン或は螺旋状の係止部を有するものを用いると、これらの留め具をシートの鳩目に引っ掛けた場合に容易に外れないという利点があり、強風の際にシートが足場などやテントなどの骨組みから剥されてしまうことを有効に防止できるものである。
【図面の簡単な説明】
【００２６】
【図１】本発明に係るシートの連結具の実施例を示す平面図である。
【図２】図１のＡ-Ａ’拡大線断面図である。
【図３】図１に示したシートの連結具の留め具の部分の拡大平面断面図である。
【図４】図１に示したシートの連結具及び図８に示したシートの連結具の様々な使用例を示す説明図である。
【図５】図１に示したシートの連結具で単管パイプを利用してシート同士を連結する際の使用例を示す図４のＢ−Ｂ’線断面図である。
【図６】図１に示したシートの連結具で単管パイプにシートを連結する際の使用例を示す図４のＣ−Ｃ’線断面図である。
【図７】図１に示したシートの連結具でシート同士を単管パイプのないところで連結する際の使用例を示す図４のＤ−Ｄ’線断面図である。
【図８】本発明に係るシートの連結具の留め具の他の実施例を示す平面図である。
【図９】図８に示した連結具の留め具の使用例を示すＥ−Ｅ’線断面図である。
【図１０】図８に示した連結具の使用例を示す図４のＦ−Ｆ’線断面図であり、（ａ）は留め具の一方のみを用いる使用例、（ｂ）留め具の双方を用いる使用例である。
【図１１】図８に示した連結具のさらに他の使用例を示す図４のＧ−Ｇ’線断面図である。
【図１２】本発明に係るシートの連結具の留め具の、さらに他の実施例を示す平面図であり、（ａ）はその平面図、（ｂ）はその留め具の部分の側面図である。
【図１３】本発明に係るシートの連結具の留め具の、さらに他の実施例を示し、（ａ）はその平面図、（ｂ）はその平面図、（ｃ）はその側面図である。
【図１４】本発明に係るシートの連結具の留め具の、さらに他の実施例を示す平面図である。
【図１５】本発明に係るシートの連結具の留め具の、さらに他の実施例を示し、（ａ）その平面図、（ｂ）はその一部断面図である。
【図１６】本発明に係るシートの連結具を用いてテントの屋根シートを支柱へ連結する際の使用例である。
【発明を実施するための形態】
【００２７】
以下に本発明の好ましい実施形態を添付図面を参照しつつ詳細に説明するが、本発明の特徴は以下に説明する実施例や使用例に限定されるものではない。それは本発明の趣旨を逸脱しない範囲において、様々な変形態様のものを含むものである。
【実施例１】
【００２８】
図１乃至図３は、本発明に係るシート用の連結具の一実施例を示す、図面によれば、実施例１に係るシート用の連結具１は、伸縮性を有する通称丸ゴムと称せられる弾性を有する材質のバンド部材２と、このバンド部材２の両端部に取り付けた留め具３と４から成り、前記バンド部材２は、複数の細いゴム紐５ａから成る芯材５の周囲を繊維布６で被覆したものとしている。
【００２９】
バンド部材２は、図示された実施例のものは、細いゴム紐５ａを数本束ねて芯材５とし、その外周を伸縮性のある繊維布６で被覆することにより丸ゴム形状としたものである。各ゴム紐５ａの太さについてはとくに限定はないが、多数本の方が耐久性はある。また、バンド部材２は、通称平ゴム或は丸ゴムと称せられるもの１本にしてもよい。ゴムの材料としては、天然ゴム、ニトリルゴム・・・・があるが、耐候性に優れているという意味で天然ゴムやニトリルゴムが望ましい。芯材５を１本のゴム紐とした場合には、外周を被覆する繊維布を省略してもよい。但し、この繊維布で被覆するとこのバンド部材２を巻き付ける、単管パイプがとくに夏の太陽熱で加熱されても、直に芯材５に接しないことから、芯材５のゴム紐５ａが劣化してしまうのを防止できる。バンド部材２にはまた、ゴム紐と繊維糸を編み込んだ公知のものを用いることができる。芯材には、さらに多数本のゴム紐のそれぞれの外周に繊維布を被覆したものを用いてもよい。
【００３０】
繊維布６はこれを耐候性や断熱性のある麻、アクリル繊維、その他のものを用いることができる。実施例のものは上記したように通称丸ゴムと称せられるもので、工場で大量生産されるものを用いることができる。これは平ゴムとした場合も同じである。
【００３１】
留め具の一方のものである留め具３は、通称エスカン（Ｓカン）と称せられるもので、ステンレス鋼製の針金、防錆用のメッキ仕上げのバネ用針金、或はＡＢＳのような強化プラスチック製のものを、変形させて略Ｓの字形に折り曲げたもので、小径の部分は取付部３ａを形成し、この取付部３ａに続いて設けられた大径の部分が係止部３ｂを形成している。そして、この留め具３は、バンド部材２の一端部側を取付部３ａに通して折り曲げ、バンド部材２に重ね合わせたうえで、パイプ状の固定部材３ｃで締め付けて固定させてある。尚、固定部材はこれを丸リング状のものを１本或は複数本用いてもよいし、また、針金を用い、これを巻きつけることによって固定させてもよい。
【００３２】
留め具の他方のものである留め具４は、通称引き輪或はマルカンと称せられるものである。この留め具４は、とくに図３に示したように、リング状の取付部７ａに続いて平面略Ｃ形状を呈したガイドリング７が一体に設けられ、このガイドリング７のガイド部７ｂを内部に収容させて同じく平面略Ｃ形状を呈したパイプ状の係止部８がガイド部７ｂに沿って移動可能に取り付けられており、とくに図３に示したように、ガイド部７ｂの先端７eと係止部８の内部の閉塞端部８ａとの間にコイルスプリング９が弾設されている。そして、係止部８の先端部８ｄはガイドリング７のガイド部７ｂに設けた当接部７ｄに圧接している。取付部７ａにはバンド部材２の他端部を引っかけて折り曲げ、この折り曲げた部分をバンド部材２と重ね合わせてパイプ状の固定部材７ｃで締め付けて固定することにより、バンド部材２の端部に取り付けられている。さらに、係止部８の他端部側には摘み部８ｂが設けられている。尚、この引き輪或はマルカンと称せられる留め具４の構成は一例であって、図示のものに限定されない、様々の公知構成マルカンを用いることができる。さらに、固定部材はこれをリング状のものを用いてもよいし、また、針金を用い、これを巻きつけることによって固定させてもよい。この留め具４についても、その材料にとくに限定はなく、ステンレス鋼製、防錆用のメッキ仕上げをした金属製、或はＡＢＳのような強化プラスチック製のものを用いることができる。
【００３３】
図４〜図７は、この実施例１に係る連結具１の使用例を示す。図面によれば、図３と図４の矢印ａで示した部分と図５において、縦方向の単管パイプ１０のある箇所で養生用のシート１１，１２同士を連結させる場合には、バンド部材２を単管パイプ１０に巻き付け、留め具３と留め具４を互いに交差させた状態で引っ張りつつ右側の留め具３の係止部３ｂは左側のシート１１の鳩目１１ａに引っ掛け、左側の留め具４は摘み部８ｂを引いて係止部８をコイルスプリング９の弾力に抗して開くと開口部８ｃが開口するので、この開口部８ｃよりシート１２の鳩目１２ａを嵌入させてやり、摘み部８ｂから手を離すと係止部８が元位置に戻ることから、右側のシート１２の鳩目１２ａを引っ掛けることができるものである。その際に、係止部８の先端部８ｄがガイドリング７の当接部７ｄに圧接することから、鳩目１２ａから外れる心配がなく、しっかりと係止できるものである。このように各鳩目１１ａ，１２ａ同士を連結することで各シート１１，１２が張られることになる。図４に示したように、単管パイプ１３が横方向に設けられている場合も、拡大断面図は省略するが、その取り付け向きが変わるだけで、連結具１の各留め具３と４を同じように用いてシート１２と１４を単管パイプ１３へ外れることなく連結することができるものである。
【００３４】
次に、単管パイプの一方にのみシートを連結する場合には、図４の矢印ｂで示した部分と図６に示したように、バンド部材２を単管パイプ１５に回して、引っ張りつつ一方の留め具３の係止部３ｂともう一方の留め具４の係止部８をシート１６の鳩目１６ａに引っ掛けるものである。このように次々と各鳩目１６ａや１７ａに係止部３ｂと係止部８を連結させて行き、図４に示したように、シート１６、或はシート１７を吊り下げて張るものである。
【００３５】
次に、単管パイプのない部分でシート同士を連結する場合（このような例はシート同士を上下方向に張る場合に多い。）には、図４に矢印ｃで示した部分と図７に示したように、留め具４の係止部８を用いて各シート１６と１２、の各鳩目１６ａと１２ａに引っ掛けて、連結することもできる。また、図示はしてないが、留め具３の係止部３ｂと留め具４の係止部８の両方を用いて各鳩目１６ａと１２ａに引っ掛けるようにしてもよい。
【００３６】
次に、単管パイプのない箇所で４枚のシートの角部を連結具１を用いて連結する場合には、図４の矢印ｄで示したように、各シート１２，１６，１７，及び１８同士の角部の各鳩目１２ａ，１６ａ，１７ａ，及び１８ａを４本の連結具１，１，１，１を用いて、その各留め具４で連結するものである。
【００３７】
尚、単管パイプのある箇所においては、図４の矢印eで示したように、単管パイプ１０に対しシート１１，１２，１６，１９の各角部の鳩目１１ａ，１２ａ，１６ａ，１９ａを連結具１、１の２本で連結できる場合もある。その使用例に限定はない。
【００３８】
このように実施例１に係る連結具１は、単管パイプのあるところでは、バンド部材の張力によって留め具３と４が、各シートの鳩目を連結方向へ引っ張ることにより、強風の際にも鳩目より外れることなく、しっかりと係止できるものであり、単管パイプのないところでは、留め具４がすその係止部８で連結する鳩目同士をしっかりと隙間なく係止し、この係止力はコイルスプリングによって維持されるので、強風の際にも係止部が鳩目から離れてしまう心配はない。
【実施例２】
【００３９】
図８は本発明に係る連結具の他の実施例を示す。図面によれば、この実施例２に係るシートの連結具２５のバンド部材２６の両端部には、実施例１の留め具３と同じ構成の通称エスカン（Ｓカン）と称せられる留め具２７，２８が取り付けられている。この留め具２７，２８は、小径のリング状の取付部２７ａ，２８ａに続いて平面略Ｃ形状を呈した大径の係止部２７ｂ，２８ｂが一体に設けられている。取付部２７ａ，２８ａにはバンド部材２６のそれぞれの端部を引っかけて折り曲げ、この折り曲げた部分をバンド部材２６と重ね合わせてパイプ状の固定部材２７ｃ，２８ｃで締め付けて固定してある。尚、このエスカンと称せられる留め具２７，２８の構成は一例であって、図示の形態のものに限定されない、様々の形態の留め具を用いることができる。
【００４０】
図９は、この実施例２に係る連結具２５の使用例を示す。図４の矢印ｆで示したように、縦方向の単管パイプ１０のある箇所で養生用のシート１６，１９同士を連結させる場合には、バンド部材２６を単管パイプ１０に巻き付け、留め具２７と留め具２８を互いに交差させた状態で引っ張りつつ右側の留め具２８の係止部２８ｂは左側のシート１９の鳩目１９ａに引っ掛け、左側の留め具２７は右側のシート１６の鳩目１６ａに引っ掛けることができるものである。このように各鳩目１９ａ，１６ａ同士を連結することで各シート１６とシート１９が単管パイプ１０を介して互いに張られることになる。そして、この場合、バンド部材がその弾力で各係止部２７ｂ，２８ｂを介してシートを連結方向へ引っ張るので、この牽引力により、各鳩目１６ａと１９ａしっかりと係止する。
【００４１】
次に、単管パイプのない部分でシート同士を連結する場合（このような例はシート同士を上下方向にはる場合に多い）には、図４の矢印ｇと図１０の（ａ）に示したように、一方の留め具２７を用いて各シート１７とシート１８の各鳩目１７ａ、１８ａに引っ掛けて、連結することもできる。また、図１０の（ｂ）に示したように、留め具２７の係止部２７ｂと留め具２８の係止部２８ｂの両方を用いて鳩目１７ａ，１８ａに引っ掛けるようにしてもよい。このように係止させると、留め具２７，２８がシート１７，１８の鳩目１７ａ、１８ａよりはずれてしまうことを防止することができるものである。
【００４２】
次に、単管パイプの一方にのみシートを連結する場合には、図４の矢印ｈと図１１に示したように、連結具２５のバンド部材２６を単管パイプ２１に回して、引っ張りつつ一方の留め具２７の係止部２７ｂともう一方の留め具２８の係止部２８ｂをシート１７の鳩目１７ａに引っ掛けるものである。このように次々と各鳩目１７ａに留め具２７と２８の係止部２７ｂと２８ｂを引っ掛けて行き、シート１７や１８を単管パイプ２１の一側部に対して張るものである。
【００４３】
次に、４枚のシートの角部を連結する場合には、４個の連結具２５の各留め具２７或は２８、さらには留め具２７と２８を共に用いて、図４の矢印ｄに示したように、各シート１２，１６，１７，１８の角部の各鳩目１２ａ，１６ａ，１７ａ，１８ａ同士を連結するものである。図４の矢印ｄで示した箇所は、実施例１の連結具１で連結する場合について示してある。しかしながら、これは連結具の構成が異なるのみで、連結具２５の留め具２７か２８を用いればよいことが自ずから解るので、図示を省略してあるものである。
【実施例３】
【００４４】
図１２は本発明に係る連結具の他の実施例を示す。図面によれば、この実施例３に係る連結具３５のバンド部材３６の一方の端部には、実施例１に示した留め具３が取り付けられているが、他端部には、通称カニカンと称せられる留め具３７が取り付けられている。このカニカンと称せられる留め具３７は、リング状の取付部３７ａに対して略Ｃ形状を呈した係止部３７ｂが回転自在に取り付けられており、この係止部３７ｂに設けられて開口部３７ｃの一端には、自動復帰可能に弾性を付与された閉止片３８が搖動可能に取り付けられ、その自由端側の端部を係止部３７ｂの自由端側に設けた当接部３７eに内側から圧接させている。即ち、図１２の（ｂ）に示したように、閉止片３８は、弾性を有する針金を平面略Ｕ次形状に折り曲げ、この折り曲げた自由端側を互い違いに内側へ折り曲げ、この互い違いに折り曲げられた折り曲げ片３８ｂ、３８ｃを開口部３７ｃに設けた取付孔３７ｄ（一方のみ表示）へ挿入することにより、その搖動方向へ弾性が付与されるように構成されている。取付部３７ａにはバンド部材３６の他端部を引っかけて折り曲げ、この折り曲げ部をバンド部材３６と重ね合わせてパイプ状の固定部材３９で締め付けて固定してある。閉止片３８の一端部側には摘み部３８ａが設けられている。このカニカンと称せられる留め具３７は、一例であって、図示のものに限定されない、様々の公知構成のカニカンを用いることができる。
【００４５】
この実施例３に係る連結具３５の使用例は、マルカンを用いた実施例１の連結具１の使用例とほとんど同じであり、図示するまでもないので、説明を省略する。
【実施例４】
【００４６】
図１３は、本発明に係る連結具のさらに他の実施例を示す。図面によればこの実施例４に係る連結具４０は、留め具４１の一方が螺旋形状に巻き込んであるところに特徴がある。その使用方法は、この実施例４に係る連結具４０で、図１３の（ｃ）に示したように、巻き込み部の中までシート４２の鳩目４２ａを通過させてやると、外れにくいという利点がある。勿論、この実施例４に係る留め具４１をバンド部材４３の両端に取り付けてもよい。その他の使用例は先に説明した実施例２のものとほとんど同じであるので、図示とその説明を省略する。
【実施例５】
【００４７】
図１４は、本発明に係る連結具のさらに他の実施例を示す。図面によればこの実施例５に係る連結具４５は、バンド部材４６がコイルスプリングで構成されている点で、先の各実施例のものと相違している。このコイルスプリングから成るバンド部材４６の両端に設ける留め具については、先に説明したさまざまな構成の留め具を用いることができるが、図面では、コイルスプリングと同じ材料で一体に形成した平面略Ｃ字形状の留め具４７，４７を示してある。材料は弾性のあるものであればとくに限定はないが、望ましくはステンレス鋼などの防錆性のあるものが望ましい。このコイルスプリングの外側を想像線で示したように、繊維布４８で覆たり、或はバンド部材４６の部分を留め具４７、４７の部分まで含めて、或は留め具４７、４７の部分のみを、樹脂部材で覆うようにしてもよい。樹脂部材はパイプ状のものを用いたり、或は樹脂の中に連結具を浸すようにして、その外周を樹脂部材で覆うようにすることができる。
【００４８】
この実施例５に係る連結具４５の使用方法も先に説明した実施例のもののように使用することができるので、その説明を省略する。
【実施例６】
【００４９】
図１５は、本発明に係る連結具のさらに他の実施例を示す。図面によればこの実施例６に係る連結具５０は、バンド部材５１については実施例１のものと同じであるが、留め具５２は平面略はてなマーク形状を呈しており、直上形状を呈した取付部５２ａの先端にフランジ部５２ｂが設けられ、このフランジ部５２ｂの側を芯材５１ａの中に挿入させたうえで、挿入部分をバンド部材５１の外側から繊維布５１ｂと芯材５１ａごと針金５３を巻いて固定させたものである。針金５３の代わりにパイプ状の固定部材としてもよい。
【００５０】
この実施例６に係る連結具５０のバンド部材５１の両端部には、上記した各実施例の留め具の取付部の形状をこの実施例６のように形成させることにより、取り付けることが可能である。
【実施例７】
【００５１】
図１６は、上述した本発明に係る連結具の他の使用例を示す。図面によれば、本発明に係る実施例２の連結具２５はテント５５の横支柱５７ａに屋根用のシート５６を張る際に用いることができる。即ち、テント５５の屋根用のシート５６を当該テント５５の骨組み５７に被せた際に、当該骨組み５７を構成する横支柱５７ａの近くに位置して、牽引用紐５８を取り付け、この牽引用紐５８に本発明に係る実施例２の連結具２５を使用するものである。この連結具２５の使用方法は、バンド部材２６を横支柱５７ａに巻き付け、引っ張りつつ各留め具２７，２７を牽引用紐５８に引っ掛けるものである。
【００５２】
このように使用すると、骨組み５７に対し屋根用のシート５６を固定し易く、かつ、時間と手間を要せず、さらにバンド部材２６に伸縮性があるので、屋根用のシート５６は骨組み５７に弛みなくぴったりと張ることが可能となるものである。
【００５３】
この連結具２５はまた、テント５５の骨組み５７の側部に図示してない風除け用のシートを張る場合でも、建設現場の足場にシートを張るようにして使用することができるものである。更に、このテント用の骨組みへ屋根用のシートなどを固定させる場合には、上述した各実施例の留め具を用いることができることは言うまでもない。また、その使用方法については、説明するまでもなく上述したところから明らかであるので、その説明を省略する。
尚、実施例５において、バンド部材と留め具の外側を合成樹脂で覆うことを説明したが、このことは、他の実施例における留め具についても実施できるものであり、このように実施すると、とくに鳩目がアルミニウム製の場合には、留め具によって係止される鳩目が切れてしまったりすることを有効に防止できる。鳩目が切れたり割れたりしてしまうと、そこからシートが裂けてしまうので、これを防止する効果が期待できるものである。
【産業上の利用可能性】
【００５４】
以上詳細に説明したように、本発明に係るシートの連結具によれば、時間と手間を要することなくシートの取り付けや取り外しを容易に行うことができると共に、シートを単管パイプにぴんとした張り具合で強固に取り付けることができ、また、単管パイプのない箇所でのシート同士の連結が可能であり、さらに、強風の際にシートが煽られても、バンド部材が伸びることによって、足場や骨組みが崩れてしまったり、倒壊してしまうことを有効に防止できるシートの連結具として、さらにテントの屋根用にシートの連結具として、好適に用いられるものである。
【符号の説明】
【００５５】
１、２５、３５、４０、４５、５０  連結具
２、２６、３６、４３、４６、５１  バンド部材
３、４、２７、２８、３７、４１、４７、５２  留め具
３ａ、７ａ、２７ａ、２８ａ、３７ａ、５２ａ  取付部
３ｂ、８、２７ｂ、２８ｂ、３７ｂ  係止部
３ｃ、７ｃ、２７ｃ、２８ｃ、３９  固定部材
５、５１ａ  芯材
５ａ  ゴム紐
６、４８  繊維布
７ｅ  先端
９  コイルスプリング
１１、１２、１４、１６、１７、１８、１９、２０、２１、４１、５６  シート
５２ｂ  フランジ部
【図１】
2014139390.tif 000003
【図２】
2014139390.tif 000004
【図３】
2014139390.tif 000005
【図４】
2014139390.tif 000006
【図５】
2014139390.tif 000007
【図６】
2014139390.tif 000008
【図７】
2014139390.tif 000009
【図８】
2014139390.tif 000010
【図９】
2014139390.tif 000011
【図１０】
2014139390.tif 000012
【図１１】
2014139390.tif 000013
【図１２】
2014139390.tif 000014
【図１３】
2014139390.tif 000015
【図１４】
2014139390.tif 000016
【図１５】
2014139390.tif 000017
【図１６】
2014139390.tif 000018
【手続補正書】
【提出日】平成25年7月8日(2013.7.8)
【手続補正１】
【補正対象書類名】明細書
【補正対象項目名】０００９
【補正方法】変更
【補正の内容】
【０００９】
本発明の目的を達成するために請求項１発明は、建築現場などの足場に設置する養生用ネットや養生用シートなどのシート同士を当該足場を構成する単管パイプに連結する際に用いるものであって、伸縮性を有する弾性材質のバンド部材と、このバンド部材の両端部に取り付けられた一対の留め具とから成り、前記バンド部材は単数または複数のゴム紐から成る芯材と、この芯材の周囲を繊維布で被覆したものとし、前記留め具は前記バンド部材に取り付ける取付部とこの取付部に続いて設けられたところの係止部とを有するものと成し、もって、その使用時に、前記バンド部材を前記単管パイプへ巻き付け、前記各留め具を前記単管パイプ前の前記各シートの合わせ目の部分で互いに交差させ、一方の留め具を引っ張ってその係止具を一方のシートの鳩目に係止させ、他方の留め具を引っ張ってその係止具を他方のシートの鳩目に係止させるように成したことを特徴とする。
【手続補正２】
【補正対象書類名】明細書
【補正対象項目名】００１０
【補正方法】変更
【補正の内容】
【００１０】
次に、請求項２発明によれば、テントの屋根用のシートをその骨組みを構成する横支柱へ連結する際に用いるものであって、伸縮性を有する弾性材質のバンド部材と、このバンド部材の両端部に取り付けられた一対の留め具とから成り、前記バンド部材は単数または複数のゴム紐から成る芯材と、この芯材の周囲を繊維布で被覆したものとし、前記留め具は前記バンド部材に取り付ける取付部とこの取付部に続いて設けられたところの係止部とを有するものと成し、もって、その使用時に、前記バンド部材の中央部を前記横支柱へ引っ掛け、前記各留め具を重ね合わせた状態で引っ張って前記各係止具を共に前記屋根用のシートに設けた牽引用紐に係止させるように成したことを特徴とする。
【手続補正３】
【補正対象書類名】明細書
【補正対象項目名】００１１
【補正方法】変更
【補正の内容】
【００１１】
次に、請求項３発明によれば、請求項１又は２に記載の発明のバンド部材を、単数または複数のゴム紐のみで構成することができるものである。
【手続補正４】
【補正対象書類名】明細書
【補正対象項目名】００１２
【補正方法】変更
【補正の内容】
【００１２】
次に、請求項４発明によれば請求項１又は２に記載の発明のバンド部材を、単数のゴム紐と、このゴム紐の周囲を繊維布で被覆したものとすることができる。
【手続補正５】
【補正対象書類名】明細書
【補正対象項目名】００１３
【補正方法】変更
【補正の内容】
【００１３】
次に、請求項５発明によれば、請求項１又は２に記載の発明のバンド部材を、複数のゴム紐の周囲をそれぞれ繊維布で被覆したものとすることができるものである。
【手続補正６】
【補正対象書類名】明細書
【補正対象項目名】００１４
【補正方法】変更
【補正の内容】
【００１４】
次に、請求項６発明によれば、請求項１又は２に記載の発明のバンド部材を、ゴム紐と繊維とを編み込んだものすることができるものである。
【手続補正７】
【補正対象書類名】明細書
【補正対象項目名】００１５
【補正方法】変更
【補正の内容】
【００１５】
次に、請求項７発明によれば、請求項１又は２に記載の発明のバンド部材を、コイルスプリングとすることができるものである。
【手続補正８】
【補正対象書類名】明細書
【補正対象項目名】００１６
【補正方法】変更
【補正の内容】
【００１６】
次に、請求項８発明によれば、バンド部材をコイルスプリングとしたときには、留め具を前記コイルスプリングの両端部に一体に設けることを特徴とする。
【手続補正９】
【補正対象書類名】明細書
【補正対象項目名】００１７
【補正方法】変更
【補正の内容】
【００１７】
次に、請求項９発明によれば、請求項１又は２に記載の発明の前記ゴム紐は、丸ゴム或は平ゴムとしたことを特徴とする。
【手続補正１０】
【補正対象書類名】明細書
【補正対象項目名】００１８
【補正方法】変更
【補正の内容】
【００１８】
次に、請求項１０発明によれば、請求項１発明の留め具の、その一方或は双方を前記取付部と前記係止部を有するマルカン或はカニカンとしたことを特徴とするものである。
【手続補正１１】
【補正対象書類名】明細書
【補正対象項目名】００１９
【補正方法】変更
【補正の内容】
【００１９】
次に、請求項１１発明によれば、請求項１又は２に記載の発明の留め具の、その一方或は双方を前記取付部と前記係止部を有するエスカンとし、前記取付部の部分を小径に形成させたことを特徴とするものである。
【手続補正１２】
【補正対象書類名】明細書
【補正対象項目名】００２０
【補正方法】変更
【補正の内容】
【００２０】
次に、請求項１２発明によれば、請求項１又は２に記載の発明の留め具の、その一方或は双方の係止部を螺旋形状としたことを特徴とする。
【手続補正１３】
【補正対象書類名】特許請求の範囲
【補正対象項目名】全文
【補正方法】変更
【補正の内容】
【特許請求の範囲】
【請求項１】
建築現場などの足場に設置する養生用ネットや養生用シートなどのシート同士を当該足場を構成する単管パイプに連結する際に用いるものであって、伸縮性を有する弾性材質のバンド部材と、このバンド部材の両端部に取り付けられた一対の留め具とから成り、前記バンド部材は単数または複数のゴム紐から成る芯材と、この芯材の周囲を繊維布で被覆したものとし、前記留め具は前記バンド部材に取り付ける取付部とこの取付部に続いて設けられたところの係止部とを有するものと成し、もって、その使用時に、前記バンド部材を前記単管パイプへ巻き付け、前記各留め具を前記単管パイプ前の前記各シートの合わせ目の部分で互いに交差させ、一方の留め具を引っ張ってその係止具を一方のシートの鳩目に係止させ、他方の留め具を引っ張ってその係止具を他方のシートの鳩目に係止させるように成したことを特徴とする、シートの連結具。
【請求項２】
テントの屋根用のシートをその骨組みを構成する横支柱へ連結する際に用いるものであって、伸縮性を有する弾性材質のバンド部材と、このバンド部材の両端部に取り付けられた一対の留め具とから成り、前記バンド部材は単数または複数のゴム紐から成る芯材と、この芯材の周囲を繊維布で被覆したものとし、前記留め具は前記バンド部材に取り付ける取付部とこの取付部に続いて設けられたところの係止部とを有するものと成し、もって、その使用時に、前記バンド部材の中央部を前記横支柱へ引っ掛け、前記各留め具を重ね合わせた状態で引っ張って前記各係止具を共に前記屋根用のシートに設けた牽引用紐に係止させるように成したことを特徴とする、シートの連結具。
【請求項３】
前記バンド部材は、単数または複数のゴム紐のみから成ることを特徴とする、請求項１又は２のいずれか１項に記載のシートの連結具。
【請求項４】
前記バンド部材は、単数のゴム紐と、このゴム紐の周囲を繊維布で被覆したものとしたことを特徴とする、請求項１又は２のいずれか１項に記載のシートの連結具。
【請求項５】
前記バンド部材は、複数のゴム紐の周囲をそれぞれ繊維布で被覆したものとしたことを特徴とする、請求項１又は２のいずれか１項に記載のシートの連結具。
【請求項６】
前記バンド部材は、ゴム紐と繊維とを編み込んだものとしたことを特徴とする、請求項１又は２のいずれか１項に記載のシートの連結具。
【請求項７】
前記バンド部材は、これをコイルスプリングとしたことを特徴とする、請求項１又は２のいずれか１項に記載のシートの連結具。
【請求項８】
前記バンド部材をコイルスプリングとしたときには、留め具を前記コイルスプリングの両端部に一体に設けることを特徴とする、請求項７に記載のシートの連結具。
【請求項９】
前記ゴム紐は、丸ゴム或は平ゴムとしたことを特徴とする、請求項１又は２のいずれか１項に記載のシートの連結具。
【請求項１０】
前記留め具は、その一方或は双方を前記取付部と前記係止部を有するマルカン或はカニカンとしたことを特徴とする、請求項１に記載のシートの連結具。
【請求項１１】
前記留め具は、その一方或は双方を前記取付部と前記係止部を有するエスカンとし、前記取付部の部分を小径に形成させたことを特徴とする、請求項１又は２のいずれか１項に記載のシートの連結具。
【請求項１２】
前記留め具は、その一方或は双方の係止部を螺旋形状としたことを特徴とする、請求項１又は２のいずれか１項に記載のシートの連結具。
【請求項１３】
前記留め具は、その取付部を直条形状にしてその先端にフランジ部を設けたものとし、前記取付部を複数のゴム紐から成る芯材の中に挿入させてその挿入部分の周囲を芯材と共に固定部材で締めつけるものとしたことを特徴とする、請求項１乃至１２のいずれか１項に記載のシートの連結具。